(57)【要約】【課題】通信端末に搭載される表示装置の駆動回路に関し、ノイズ成分が無線特性に影響を与えないようにする。【解決手段】表示装置の動作を制御するためのクロックをスペクトラム拡散させることで、表示装置が発生するノイズ成分を低減し、通信端末の無線特性がノイズ成分に影響を受けないようにする。また、クロックをスペクトラム拡散する期間を情報の送受信期間に限定することで、駆動回路の動作が不安定になることを回避する。また、送受信期間としては、垂直ブランキング期間や表示停止期間といったクロック周波数のゆらぎによる表示への影響がない期間を設定する。【選択図】図１
2006163049.tif 000002
【特許請求の範囲】
【請求項１】
無線により情報を送受信する通信端末に対して表示装置に情報を表示させるための信号をやり取りするインタフェース回路と、
表示装置の動作を制御するためのクロックを発生させ、送受信期間中にはクロックをスペクトラム拡散させるクロック発生回路と、
を有することを特徴とする通信端末用表示装置の駆動回路。
【請求項２】
前記クロック発生回路は、クロック周波数のゆらぎによる表示への影響がない期間にクロックをスペクトラム拡散させることを特徴とする請求項１記載の通信端末用表示装置の駆動回路。
【請求項３】
前記クロック発生回路は、送受信期間中であることを示すクロック制御信号を通信端末からインタフェース回路を介して受け取ることを特徴とする請求項１又は２記載の通信端末用表示装置の駆動回路。
【請求項４】
クロックをスペクトラム拡散させるタイミングを示すタイミング信号を発生するタイミング信号発生回路をさらに備え、
通信端末に対しては当該タイミング信号に同期して送受信させ、クロック発生回路に対しては当該タイミング信号に同期してクロック信号をスペクトラム拡散させることを特徴とする請求項１又は２記載の通信端末用表示装置の駆動回路。
【請求項５】
クロックをスペクトラム拡散させるタイミングを示すタイミング信号を発生する外付け回路をさらに備え、
通信端末に対しては当該タイミング信号に同期して送受信させ、クロック発生回路に対しては当該タイミング信号に同期してクロック信号をスペクトラム拡散させることを特徴とする請求項１又は２記載の通信端末用表示装置の駆動回路。
【発明の詳細な説明】
【技術分野】
【０００１】
本発明は、無線により情報を送受信する通信端末に搭載される通信端末用表示装置の駆動回路に関する。
【背景技術】
【０００２】
液晶表示装置に代表される表示装置に関する信号処理技術としては、例えば特許文献１に記載のものが知られている。近年は、このような表示装置を携帯電話や携帯端末といった無線により情報を送受信する通信端末に搭載する技術の開発が進められている。
【０００３】
一般に、液晶表示装置は、複数の走査線と複数の信号線が交差するように配線され、各交差部に画素が配置された表示エリアをアレイ基板上に備えている。そして、信号線を駆動する信号線駆動回路、走査線を駆動する走査線駆動回路、これら信号線駆動回路および走査線駆動回路を駆動するための駆動回路を備える。
【０００４】
駆動回路は、クロック発生回路を備えており、このクロック発生回路で生成されたクロックによって駆動回路の各部の動作が制御され、ひいては信号線駆動回路および走査線駆動回路の動作が制御される。
【特許文献１】特開２００３−６６９３０号公報
【発明の開示】
【発明が解決しようとする課題】
【０００５】
しかしながら、従来の技術では、上述したクロックの制御により、駆動回路、信号線駆動回路、走査線駆動回路、表示エリアは、動作期間中は常にクロックとその高調波成分をノイズとして有することになる。
【０００６】
これらの各回路等を備えた表示装置を通信端末に搭載すると、表示装置のノイズ成分が情報を送受信する際の無線特性に影響を及ぼすという問題がある。
【０００７】
本発明は、上記に鑑みてなされたものであり、その課題とするところは、通信端末に搭載される表示装置の駆動回路に関し、ノイズ成分が無線特性に影響を与えないようにすることにある。
【課題を解決するための手段】
【０００８】
本発明に係る通信端末用表示装置の駆動回路は、無線により情報を送受信する通信端末に対して表示装置に情報を表示させるための信号をやり取りするインタフェース回路と、表示装置の動作を制御するためのクロックを発生させ、送受信期間中にはクロックをスペクトラム拡散させるクロック発生回路と、を有することを特徴とする。
【０００９】
本発明にあっては、表示装置の動作を制御するためのクロックをスペクトラム拡散させることでノイズ成分を低減するとともに、スペクトラム拡散する期間を情報の送受信期間に限定することで、駆動回路の動作が不安定になることを回避している。
【００１０】
前記クロック発生回路は、クロック周波数のゆらぎによる表示への影響がない期間にクロックをスペクトラム拡散させることを特徴とする。
【００１１】
前記クロック発生回路は、送受信期間中であることを示すクロック制御信号を通信端末からインタフェース回路を介して受け取ることを特徴とする。
【００１２】
前記駆動回路は、クロックをスペクトラム拡散させるタイミングを示すタイミング信号を発生するタイミング信号発生回路をさらに備え、通信端末に対しては当該タイミング信号に同期して送受信させ、クロック発生回路に対しては当該タイミング信号に同期してクロック信号をスペクトラム拡散させることを特徴とする。
【００１３】
前記駆動回路は、クロックをスペクトラム拡散させるタイミングを示すタイミング信号を発生する外付け回路をさらに備え、通信端末に対しては当該タイミング信号に同期して送受信させ、クロック発生回路に対しては当該タイミング信号に同期してクロック信号をスペクトラム拡散させることを特徴とする。
【発明の効果】
【００１４】
本発明に係る通信端末用表示装置の駆動回路によれば、通信端末の無線特性が表示装置の発するノイズ成分に影響を受けないようにすることができる。
【発明を実施するための最良の形態】
【００１５】
以下、本発明の実施の形態について図面を用いて説明する。
【００１６】
図１は、一実施の形態における通信端末用表示装置の駆動回路の構成を示す回路ブロック図である。通信端末としては、例えば携帯電話やその他の携帯端末を用いる。表示装置としては、例えば液晶表示装置を用いる。同図において、駆動回路はドライバＩＣ１として示してある。
【００１７】
ドライバＩＣ１は、インタフェース回路１１、クロック発生回路１２、タイミング信号発生回路１３、表示用メモリ１４、ラッチ回路１５、Ｄ／Ａ変換回路１６、レベルシフト回路１７を備えた構成であり、アレイ回路２の動作を制御する。
【００１８】
インタフェース回路１１は、無線により情報を送受信する通信端末に対して表示装置に情報を表示させるための信号をやり取りする。本実施の形態では、通信端末から送受信期間中であることを示すクロック制御信号を受け取るとともに、表示装置に表示すべき映像信号を受け取る。
【００１９】
クロック発生回路１２は、表示装置の動作を制御するためのクロックを発生させる。また、クロック発生回路１２は、上記のクロック制御信号に基づき、送受信期間中にクロックをズペクトラム拡散する。
【００２０】
タイミング信号発生回路１３は、クロック発生回路１２が生成したクロックに基づいて各回路の動作を制御するタイミング信号を発生させる。
【００２１】
表示用メモリ１４は、通信端末からインタフェース回路１１を介して映像信号を受け取り、これを一時的に格納する。表示用メモリ１４は、例えばＲＡＭ（Randum Access Memory）で形成される。
【００２２】
ラッチ回路１５は、表示用メモリ１４から読み出された映像信号をタイミング信号に同期してラッチし、出力する。
【００２３】
Ｄ／Ａ変換回路１６は、デジタル形式の映像信号をアナログ形式に変換し、その振幅を調整して出力する。
【００２４】
レベルシフト回路１７は、タイミング信号に同期して、アレイ回路内の走査線に出力するための走査信号および信号線の駆動を制御するための制御信号を生成する。
【００２５】
一方、アレイ回路２は、ガラス製の透明基板上に形成された表示エリア２１、信号線駆動回路（Ｘドライバ）２２、走査線駆動回路（Ｙドライバ）２３を備える。
【００２６】
表示エリア２１は、複数の走査線と複数の信号線とが交差するように配線され、各交差部毎に画素を有する。各画素は、映像信号に応じた電圧を液晶層に印加するための画素電極と、信号線を通じて供給されてきた映像信号の画素電極への出力・非出力を制御するスイッチング素子とを有し、スイッチング素子のオン・オフは走査線を通じて供給されてきた走査信号によって制御される。
【００２７】
信号線駆動回路２２は、Ｄ／Ａ変換回路１６が出力したアナログ形式の映像信号をタイミング信号に同期して信号線に出力する。走査線駆動回路２３は、レベルシフト回路１７が出力した走査信号を走査線に出力する。
【００２８】
次に、本駆動回路の動作について図２のタイミングチャートを用いて説明する。同図に示すように、通信端末が情報を送受信する期間を示すクロック制御信号が、通信端末からインタフェース回路１１を介してクロック発生回路１２に入力される。クロック発生回路１２は、この送受信の期間中はクロックをスペクトラム拡散させる（同図ではＳＳと示す）。表示装置が発生するノイズ成分は、クロックをスペクトラム拡散することで低減する。
【００２９】
クロックをスペクトラム拡散するとクロック周波数がゆらぐので、クロックをスペクトラム拡散させる期間としては、送受信期間のうち、走査線の駆動を停止する垂直ブランキング期間や表示を完全に停止する表示停止期間といったクロック周波数のゆらぎによる表示への影響がない期間を設定する。
【００３０】
次に、比較例の通信端末用表示装置の駆動回路について説明する。図３の回路ブロック図に示すように、比較例では、クロック発生回路３２は、通信端末からクロック制御信号を受けることはなく、一定のクロックを発生させる。その他の構成は、図１と同様であるので、図１と同一物には同一の符号を付すものとし、ここでは重複した説明は省略する。
【００３１】
図４のタイミングチャートに示すように、比較例の駆動回路は、クロックが一定であるので、表示装置は、動作期間中はクロックおよびクロックの高調波成分を含むノイズを発生することになる。
【００３２】
したがって、本実施の形態によれば、表示装置の動作を制御するためのクロックをスペクトラム拡散させることで、表示装置が発生するノイズ成分を低減し、通信端末の無線特性がノイズ成分に影響を受けないようにすることができる。また、クロックをスペクトラム拡散する期間を情報の送受信期間に限定することで、駆動回路の動作が不安定になることを回避することができる。
【００３３】
本実施の形態によれば、クロックをスペクトラム拡散させる期間として、送受信期間のうち垂直ブランキング期間や表示停止期間といったクロック周波数のゆらぎによる表示への影響がない期間を設定することで、スペクトラム拡散によって表示品質が劣化することを確実に防止することができる。
【００３４】
本実施の形態によれば、送受信期間中であることを示すクロック制御信号を、通信端末からインタフェース回路１１を介してクロック発生回路１２が受け取る構成としたことで、比較例と比べて大きな回路変更が必要なく、簡単に実現することができる。
【００３５】
クロック発生回路でクロックをスペクトラム拡散するタイミングを制御する手法としては、他にも様々な変形が考えられる。以下、この点について説明する。
【００３６】
図５の回路ブロック図に示すように、変形の例としては、タイミング信号発生回路３３により、クロックをスペクトラム拡散する期間を示すタイミング信号を生成し、これをクロック発生回路１２に出力するともに、通信端末へ出力するようにする。このタイミング信号は、垂直ブランキング期間や表示停止期間に同期したものとする。そして、通信端末に対してはこのタイミング信号に同期して情報を送受信させ、クロック発生回路１２に対してはこのタイミング信号に同期してクロック信号をスペクトラム拡散させる。このときのタイミングチャートを図６に示す。なお、図５において、図１と同一物には同一の符号を付すものとし、ここでは重複した説明は省略する。
【００３７】
このように構成することで、垂直ブランキング期間や表示停止期間といったクロック周波数のゆらぎによる表示への影響がない期間を送受信期間に設定することができ、スペクトラム拡散によって表示品質が劣化することを確実に防止することができる。また、上記実施の形態と同様に、表示装置が発生するノイズ成分を低減し、通信端末の無線特性がノイズ成分に影響を受けないようにすることができる。
【００３８】
図７の回路ブロック図に示すように、さらに別の変形例としては、外付け回路１８を設け、タイミング信号発生回路１３からタイミング信号を外付け回路１８と通信端末に出力し、外付け回路１８では、このタイミング信号に基づいてクロックをスペクトラム拡散する期間を示すタイミング信号を生成し、クロック発生回路１２に出力する。このタイミング信号は、垂直ブランキング期間や表示停止期間に同期したものとする。そして、通信端末に対してはタイミング信号に同期して情報を送受信させ、クロック発生回路１２に対してはタイミング信号に同期してクロック信号をスペクトラム拡散させる。このときのタイミングチャートを図８に示す。なお、図７において、図１と同一物には同一の符号を付すものとし、ここでは重複した説明は省略する。
【００３９】
このように構成した場合にも、上記の変形例と同様に、垂直ブランキング期間や表示停止期間といったクロック周波数のゆらぎによる表示への影響がない期間を送受信期間に設定することができ、スペクトラム拡散によって表示品質が劣化することを確実に防止することができる。また、上記実施の形態と同様に、表示装置が発生するノイズ成分を低減し、通信端末の無線特性がノイズ成分に影響を受けないようにすることができる。
【図面の簡単な説明】
【００４０】
【図１】一実施の形態における通信端末用表示装置の駆動回路の構成を示す回路ブロック図である。
【図２】上記駆動回路の動作を示すタイミングチャートである。
【図３】比較例の通信端末用表示装置の駆動回路の構成を示す回路ブロック図である。
【図４】比較例の駆動回路の動作を示すタイミングチャートである。
【図５】別の実施の形態における通信端末用表示装置の駆動回路の構成を示す回路ブロック図である。
【図６】上記別の実施の形態における駆動回路の動作を示すタイミングチャートである。
【図７】更に別の実施の形態における通信端末用表示装置の駆動回路の構成を示す回路ブロック図である。
【図８】上記更に別の実施の形態における駆動回路の動作を示すタイミングチャートである。
【符号の説明】
【００４１】
１…ドライバＩＣ
２…アレイ回路
１１…インタフェース回路
１２，３２…クロック発生回路
１３，３３…タイミング信号発生回路
１４…表示用メモリ
１５…ラッチ回路
１６…Ｄ／Ａ変換回路
１７…レベルシフト回路
１８…外付け回路
２１…表示エリア
２２…信号線駆動回路
２３…走査線駆動回路
【図１】
2006163049.tif 000003
【図２】
2006163049.tif 000004
【図３】
2006163049.tif 000005
【図４】
2006163049.tif 000006
【図５】
2006163049.tif 000007
【図６】
2006163049.tif 000008
【図７】
2006163049.tif 000009
【図８】
2006163049.tif 000010